【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
医薬品情報データベースに記憶されている医薬品情報に対して検索を実行する医薬品情報検索手段と、
文献情報データベースに記憶されている文献情報に対して検索を実行する文献情報検索手段と、
上記医薬品情報検索手段に対する検索結果から選択された１の医薬品情報を医薬品の添付文書に含まれる文献の一覧を含ませて主表示領域に表示するときに当該医薬品の名称をキーとする上記文献情報検索手段による検索の検索結果として得た文献の一覧を併せて表示する検索制御手段とを有することを特徴とする情報検索装置。
【請求項２】
上記医薬品情報検索手段および上記文献情報検索手段に対して横断的に検索を実行させ、上記医薬品情報検索手段の検索結果および上記文献情報検索手段の検索結果を統合してソートして上記主表示領域に表示する横断検索制御手段をさらに有する請求項１記載の情報検索装置。
【請求項３】
上記横断検索制御手段は、キーワードごとに関連キーワードを登録する関連キーワードデータベースを上記医薬品情報検索手段および上記文献情報検索手段ごとに設け、上記関連キーワードデータベースを参照して検索キーワードに対する関連キーワードを上記医薬品情報検索手段および上記文献情報検索手段のそれぞれに対して抽出し、上記医薬品情報検索手段および上記文献情報検索手段のそれぞれに対して抽出した関連キーワードを統合して第１の副表示領域に表示し、さらに、上記医薬品情報検索手段の検索結果の簡略一覧および上記文献情報検索手段の検索結果の簡略一覧を第２の副表示領域に表示する請求項２記載の情報検索装置。
【請求項４】
上記医薬品情報検索手段の検索結果の簡略一覧の詳細一覧を指示する第１の指示ボタンまたは上記文献情報検索手段の検索結果の簡略一覧の詳細一覧を指示する第２の指示ボタンを操作してそれぞれ上記医薬品情報検索手段の検索結果の詳細一覧または上記文献情報検索手段の検索結果の詳細一覧を上記主表示領域に表示する請求項３記載の情報検索装置。
【請求項５】
上記医薬品情報検索手段の検索結果の簡略一覧の詳細一覧を指示する第１の指示ボタンまたは上記文献情報検索手段の検索結果の簡略一覧の詳細一覧を指示する第２の指示ボタンを操作してそれぞれ上記医薬品情報検索手段の検索結果の詳細一覧または上記文献情報検索手段の検索結果の詳細一覧を上記主表示領域に表示するときに、上記第１の副表示領域に上記医薬品情報検索手段に対する関連キーワードの一覧を表示し、上記第２の副表示領域に上記文献情報検索手段に対する関連キーワードの一覧を表示する請求項４記載の情報検索装置。
【請求項６】
医療製品情報に対する検索を実行する医療製品情報検索手段および／または書籍情報に対する検索を実行する書籍情報検索手段をさらに有し、上記横断検索制御手段は、上記医薬品情報検索手段および上記文献情報検索手段に加えて、上記医療製品情報検索手段および／または上記書籍情報検索手段に対して横断的に検索を実行させ、上記医薬品情報検索手段の検索結果および上記文献情報検索手段の検索結果に加えて上記医療製品情報検索手段の検索結果および／または上記書籍情報検索手段の検索結果を統合してソートして上記主表示領域に表示する請求項２〜５のいずれかに記載の情報検索装置。
【請求項７】
医薬品情報検索手段が、医薬品情報データベースに記憶されている医薬品情報に対して検索を実行するステップと、
文献情報検索手段が、文献情報データベースに記憶されている文献情報に対して検索を実行するステップと、
検索制御手段が、上記医薬品情報検索手段に対する検索結果から選択された１の医薬品情報を医薬品の添付文書に含まれる文献の一覧を含ませて主表示領域に表示するときに当該医薬品の名称をキーとする上記文献情報検索手段による検索の検索結果として得た文献の一覧を併せて表示するステップとを有することを特徴とする情報検索方法。
【請求項８】
コンピュータを、
医薬品情報データベースに記憶されている医薬品情報に対して検索を実行する医薬品情報検索手段、
文献情報データベースに記憶されている文献情報に対して検索を実行する文献情報検索手段、
上記医薬品情報検索手段に対する検索結果から選択された１の医薬品情報を医薬品の添付文書に含まれる文献の一覧を含ませて主表示領域に表示するときに当該医薬品の名称をキーとする上記文献情報検索手段による検索の検索結果として得た文献の一覧を併せて表示する検索制御手段
として機能させるための情報検索用コンピュータプログラム。
【請求項９】
複数の情報検索手段と、
少なくとも上記複数の情報検索手段に対して横断的に検索を実行させ、上記複数の情報検索手段のそれぞれの検索結果を統合してソートして主表示領域に表示する横断検索制御手段と、
上記複数の情報検索手段について各々関連キーワードデータベースを記憶する関連キーワードデータベース記憶手段と、
上記関連キーワードデータベース記憶手段を参照して検索キーワードに対する関連キーワードを上記関連キーワードデータベースの各々から抽出し、統合して、第１の副表示領域に表示し、さらに、上記複数の情報検索手段の各々検索結果の簡略一覧を第２の副表示領域に表示する横断検索結果表示制御手段と、
上記複数の検索手段の各々の検索結果の簡略一覧にそれぞれ関連して詳細一覧を指示する複数の指示ボタンのいずれか操作して上記複数の検索手段のうちの対応するものの検索結果の詳細一覧を上記主表示領域に表示し、上記第１の副表示領域に上記複数の検索手段のうちの当該対応するものに対する関連キーワードの一覧を表示し、上記第２の副表示領域に上記複数の検索手段のうちの当該対応するもの以外のものに対する関連キーワードの一覧を表示する個別検索結果表示制御手段とを有することを特徴とする情報検索装置。
【請求項１０】
複数の情報検索手段を用いて横断検索を行う情報検索方法において、
横断検索制御手段が、少なくとも上記複数の情報検索手段に対して横断的に検索を実行させ、上記複数の情報検索手段のそれぞれの検索結果を統合してソートして主表示領域に表示するステップと、
上記複数の情報検索手段について各々関連キーワードデータベースを記憶する関連キーワードデータベース記憶手段と、
横断検索結果表示制御手段が、上記複数の情報検索手段について各々関連キーワードデータベースを記憶する関連キーワードデータベース記憶手段を参照して検索キーワードに対する関連キーワードを上記関連キーワードデータベースの各々から抽出し、統合して、第１の副表示領域に表示し、さらに、上記複数の情報検索手段の各々検索結果の簡略一覧を第２の副表示領域に表示するステップと、
個別検索結果表示制御手段が、上記複数の検索手段の各々の検索結果の簡略一覧にそれぞれ関連して詳細一覧を指示する複数の指示ボタンのいずれか操作して上記複数の検索手段のうちの対応するものの検索結果の詳細一覧を上記主表示領域に表示し、上記第１の副表示領域に上記複数の検索手段のうちの当該対応するものに対する関連キーワードの一覧を表示し、上記第２の副表示領域に上記複数の検索手段のうちの当該対応するもの以外のものに対する関連キーワードの一覧を表示するステップとを有することを特徴とする情報検索方法。
【請求項１１】
複数の情報検索手段とともに使用される情報検索用コンピュータプログラムであって、
コンピュータを、
少なくとも上記複数の情報検索手段に対して横断的に検索を実行させ、上記複数の情報検索手段のそれぞれの検索結果を統合してソートして主表示領域に表示する横断検索制御手段、
上記複数の情報検索手段について各々関連キーワードデータベースを記憶する関連キーワードデータベース記憶手段と、
上記関連キーワードデータベース記憶手段を参照して検索キーワードに対する関連キーワードを上記関連キーワードデータベースの各々から抽出し、統合して、第１の副表示領域に表示し、さらに、上記複数の情報検索手段の各々検索結果の簡略一覧を第２の副表示領域に表示する横断検索結果表示制御手段、
上記複数の検索手段の各々の検索結果の簡略一覧にそれぞれ関連して詳細一覧を指示する複数の指示ボタンのいずれか操作して上記複数の検索手段のうちの対応するものの検索結果の詳細一覧を上記主表示領域に表示し、上記第１の副表示領域に上記複数の検索手段のうちの当該対応するものに対する関連キーワードの一覧を表示し、上記第２の副表示領域に上記複数の検索手段のうちの当該対応するもの以外のものに対する関連キーワードの一覧を表示する個別検索結果表示制御手段
として機能させるための情報検索用コンピュータプログラム。